(57)【要約】【課題】  吹出口から吹出される吹出風が、使用者に対しドラフト感を与えない低速で温度分布が均一な流れであるとともに、送風ファンでの黴や雑菌の繁殖を防止することのできる空気調和機を提供することを目的とする。【解決手段】  本体１の前面に吹出口４を設け、本体１の両側に、左側上部吸込口２ａと左側下部吸込口２ｂとを備え、シロッコファンからなる左側送風ファン７を収納した左側送風ファン収納部５を設けるとともに、右側上部吸込口３ａと右側下部吸込口３ｂを備え、シロッコファンからなる右側送風ファン８を収納した右側送風ファン収納部６を設け、本体１内の昇圧室１ａと吹出口４の間にフィン９ａを高密度に配列させた熱交換器９を設ける。【選択図】図１
2012197986.tif 000002
【特許請求の範囲】
【請求項１】
本体の前面に設けられた吹出口と、同本体の両側に設けられ吸込口を備えるとともに送風ファンと同送風ファンを駆動するファンモータとを収納した送風ファン収納部と、両側の同送風ファン収納部の間に設けられた昇圧室と、同昇圧室と前記吹出口との間に設けられた熱交換器とからなることを特徴とする空気調和機。
【請求項２】
前記送風ファン収納部の上下に吸込口を設けるとともに、同送風ファン収納部内にシロッコファンからなる前記送風ファンを上下方向に配置してなることを特徴とする請求項１に記載の空気調和機。
【発明の詳細な説明】
【技術分野】
【０００１】
本発明は、空気調和機に関わり、より詳細には、吹出口から吹出す空気を低速にして、吹出された気流が直接人の肌に触れて使用者に不快感を与える所謂ドラフト感を低減する一方、熱交換能力を維持させた構成に関するものである。
【背景技術】
【０００２】
従来の空気調和機３０は、例えば図３の断面図で示すように、本体前面に前面吸込口３１を、本体上面に上面吸込口３２を夫々設け、本体の前面下部に吹出口３３を設けている。前面吸込口３１及び上面吸込口３２と、吹出口３３とを結ぶ通風路には、吸込まれた空気に含有される塵埃を除去する図示しないフィルタと、平行に並べられたフィンと同フィンに直交するように配設された伝熱管とからなり、前方上部熱交換器３４ａと前方下部熱交換器３４ｂと後方上部熱交換器３４ｃとで逆Ｖ字状に形成された熱交換器３４と、同熱交換器３４で冷媒と熱交換された空気を前記吹出口３３から室内に送出する送風ファン３５が設けられている。
【０００３】
また、前方下部熱交換器３４ｂの下方には、前方上部熱交換器３４ａと前方下部熱交換器３４ｂとから滴下する凝縮水を受け、これを貯留する前部露受皿３６ａが設けられ、後方上部熱交換器３４ｃの下方には、同後方上部熱交換器３４ｃから滴下する凝縮水を受け、これを貯留する後部露受皿３６ｂが設けられている。
【０００４】
送風ファン３５と吹出口３３とを結ぶ通風路には、吹出される風を左右方向に偏向させる複数の左右風向板３３ｂが設けられ、その前面には、回動自在に軸支された上下風向板３３ａが設けられている。
【０００５】
前面吸込口３１及び上面吸込口３２から吸込まれた室内の空気は、含有する塵埃をフィルタで除去され、前方上部熱交換器３４ａと前方下部熱交換器３４ｂと後方上部熱交換器３４ｃとを通過することにより、これらを流れる冷媒と熱交換され、熱交換された空気は、左右風向板３３ｂと上下風向板３３ａとにより吹出方向を偏向されながら、吹出口３３から室内に吹出されるようになっている。
【０００６】
しかしながら、空気調和機３０は、前面吸込口３１と上面吸込口３２とによる空気の吸込面積に比較して吹出口３３の吹出面積が小さく形成されていることにより、熱交換器３４での通過風量を増加させると吹出口３３からの風速は大きくなる。風速が大きい冷気あるいは暖気が使用者の人肌に直接触れると、所謂、ドラフト感となって使用者に不快感を与えてしまうという問題があり、また、風速が大きい場合は、熱交換器を通過した空気が充分混合しないため吹出風の温度分布が不均一となってしまう。
【０００７】
更に、冷房運転時、熱交換器３４のフィン表面には多量の凝縮水が結露し、熱交換器３４の下流側に位置する送風ファン３５に凝縮水が飛散して付着すると、送風ファン３５の表面に黴、雑菌等が繁殖する虞があり、対策が望まれていた。
【先行技術文献】
【特許文献】
【０００８】
【特許文献１】特開平９−１７０８０８号（２頁、図１）
【発明の概要】
【発明が解決しようとする課題】
【０００９】
本発明は、上記問題点に鑑み、吹出口から吹出される吹出風を、使用者に対しドラフト感を与えない低速で温度分布が均一な流れとすることのできる空気調和機を提供することを目的とする。
【課題を解決するための手段】
【００１０】
本発明は、上記課題を解決するため、本体の前面に設けられた吹出口と、同本体の両側に設けられ吸込口を備えるとともに送風ファンと同送風ファンを駆動するファンモータとを収納した送風ファン収納部と、両側の同送風ファン収納部の間に設けられた昇圧室と、同昇圧室と前記吹出口との間に設けられた熱交換器とからなる構成となっている。
【００１１】
また、前記送風ファン収納部の上下に吸込口を設けるとともに、同送風ファン収納部内にシロッコファンからなる前記送風ファンを上下方向に配置してなる構成となっている。
【発明の効果】
【００１２】
請求項１の発明によれば、本体の両側に設けられた吸込口から吸込んだ室内の空気を、送風ファン収納部から昇圧室に送出し、同昇圧室と吹出口との間に設けられた熱交換器を通過させて冷媒と熱交換した後、吹出口から静圧の高い熱交換された空気を低速で室内に送出することができるようになっている。
【００１３】
請求項２の発明によれば、送風ファン収納部内にシロッコファンからなる前記送風ファンを上下方向に配置することにより、昇圧室に向かい静圧の高い気流を送出できるようになっている。
【図面の簡単な説明】
【００１４】
【図１】（Ａ）は、本発明による空気調和機の外観斜視図である。  （Ｂ）は、本発明による空気調和機の上方から見た断面図である。
【図２】（Ａ）は、図１（Ｂ）でのＣ−Ｃ断面を示す要部断面図である。  （Ｂ）は、図１（Ｂ）でのＤ−Ｄ断面を示す断面図である。
【図３】従来の空気調和機を示す断面図である。
【発明を実施するための形態】
【００１５】
以下、本発明の実施の形態を、添付図面に基づいた実施例として詳細に説明する。
【実施例１】
【００１６】
本発明による空気調和機は、図１の外観斜視図で示すように、本体１の前面に複数の横桟を備えた吹出口４を設け、本体１の両側に左側送風ファン収納部５と右側送風ファン収納部６とを設けており、吹出口４は左側送風ファン収納部５及び右側送風ファン収納部６との間に設けられた後述する昇圧室１ａの前面側となるように形成されている。
【００１７】
本体１の左側に位置する左側送風ファン収納部５の上面には、円形状に開口された左側上部吸込口２ａが設けられ、左側送風ファン収納部５の下面には、点線で示す円形状に開口された左側下部吸込口２ｂが設けられている。同様に、本体１の右側に位置する右側送風ファン収納部６の上面には、円形状に開口された右側上部吸込口３ａが設けられ、右側送風ファン収納部６の下面には、点線で示す円形状に開口された右側下部吸込口３ｂが設けられている。
【００１８】
上記した左側上部吸込口２ａ及び左側下部吸込口２ｂと、右側上部吸込口３ａ及び右側下部吸込口３ｂには、矢印で示すように、室内の空気が吸込まれ、吸込まれた空気は、後述する熱交換器９を通過して冷媒と熱交換された後、吹出口４から矢印で示すように、室内に吹出されるようになっている。
【００１９】
本体１の上方から見た断面図は、図１（Ｂ）に示すように、本体１の昇圧室１ａと吹出口４との間には熱交換器９が配置されている。同熱交換器９は平行して配列された多数のフィン９ａと、同フィン９ａに直交するように蛇行状に配設された後述する伝熱管９ｂとからなり、フィン９ａの間を空気流が通過することにより、フィン９ａと空気流との間で熱交換が行われるようになっている。熱交換器９においては、熱交換特性に優れたアルミ材等からなるフィン９ａが長手方向において高密度に多数配列され、所謂フィンチューブ型熱交換器となっており、通過する空気流が低速であっても熱交換能力を維持できるとともに、空気の整流を行い吹出口４から均一な流れの気流を吹出すことができるようになっている。また、昇圧室１ａには、左側送風ファン収納部５と右側送風ファン収納部６から昇圧室１ａに向かい吹出された空気を吹出口４の方向へ導く中央空気流ガイド１ｂが設けられている。
【００２０】
左側送風ファン収納部５には、後述するように、縦長状に配置されたシロッコファンからなる左側送風ファン７が収納されており、左側送風ファン収納部５の内壁面からは昇圧室１ａに向かい、曲面状に形成された左側空気流ガイド５ａが延出されている。同様に、右側送風ファン収納部６には、縦長状に配置されたシロッコファンからなる右側送風ファン８が収納されており、右側送風ファン収納部６の内壁面からは昇圧室１ａに向かい、曲面状に形成された右側空気流ガイド６ａが延出されている。
【００２１】
左側送風ファン７と右側送風ファン８とから吹出された空気は、左側空気流ガイド５ａ及び右側空気流ガイド６ａにより、矢印で示すように、昇圧室１ａに向かい送出され、同昇圧室１ａの後部に配置された中央空気流ガイド１ｂにより熱交換器９の方向へ流れが偏向されるようになっている。熱交換器９を通過して、同熱交換器９を循環する冷媒と熱交換された空気は、吹出口４から室内に向かい吹出されるようになっている。このように、左側送風ファン７及び右側左側送風ファン８をシロッコファンで構成することにより、縦長状に形成された左側送風ファン収納部５と右側送風ファン収納部６とに左側送風ファン７及び右側左側送風ファン８を収納でき、また、昇圧室１ａにおける気圧をシロッコファンの作用により外気圧より高めにすることにより、吹出口４から気流を低速で室内に送出することができるようになっている。
【００２２】
次に、右側送風ファン収納部６の構成について説明する。図２（Ａ）で示す図１（Ｂ）でのＣ−Ｃ断面のように、略円筒状に形成された右側送風ファン収納部６の上面には、上記した右側上部吸込口３ａが開口され、下面には右側下部吸込口３ｂが開口されている。右側送風ファン収納部６内の上方には、円周上に多数のブレードを配設し円筒形状に形成された上部シロッコファン８ａが配置され、下方にも同様に、円周上に多数のブレードを配設し円筒形状に形成された下部シロッコファン８ｂが配置されている。
【００２３】
上部シロッコファン８ａと下部シロッコファン８ｂとの間には、両端に回転軸１１ａと回転軸１１ｂとを突設させたファンモータ１１が配置されており、回転軸１１ａは上部シロッコファン８ａの回転軸に接続され、回転軸１１ｂは下部シロッコファン８ｂの回転軸に夫々連結されている。また、上部シロッコファン８ａの回転軸の上端部は、右側送風ファン収納部６の内壁面に取付けられた上部支持金具１２ａに回動自在に軸支され、下部シロッコファン８ｂの回転軸の下端部は、右側送風ファン収納部６の内壁面に取付けられた下部支持金具１２ｂに回動自在に軸支されている。
【００２４】
上部シロッコファン８ａと下部シロッコファン８ｂとは、多数のブレードを周上に配設した回転ブレードの両側から空気を吸込み、回転ブレードの回転により本体１の中央部に向かい吸込んだ空気を吹出すようになっている。尚、左側送風ファン収納部５の構成も右側送風ファン収納部６の構成と同一なので説明を省略する。
【００２５】
次に、本体１の背面側の構成について説明する。図２（Ｂ）で示す図１（Ｂ）でのＤ−Ｄ断面のように、本体１の前面側には上記したように、熱交換器９が配置され同熱交換器９の下方には、フィン９ａの表面に結露した凝縮水を受ける露受皿１０が設けられており、同露受皿１０からは貯留した凝縮水を外部に排出する排出管１０ａが導出されている。本体１の背面側下部は、左側送風ファン収納部５と右側送風ファン収納部６を除いて内方に窪んだ凹部１ｃが形成されており、同凹部１ｃには、図示しない制御基板や電源基板等を収納した電装品箱１３が配置され、同電装品箱１３の背面側には、図示しない室外機と接続される冷媒配管を断熱材で被覆した配管ユニット１４が配置されている。同配管ユニット１４には熱交換器９から導出された冷媒配管９ｃあるいは露受皿１０から導出された排出管１０ｃが接続されるようになっている。
【００２６】
次に、本発明による空気調和機の動作について説明する。本体１の前面に形成された吹出口４の開口面積は、左側送風ファン収納部５に形成された左側上部吸込口２ａ及び左側下部吸込口２ｂと右側送風ファン収納部６に形成された右側上部吸込口３ａ及び右側下部吸込口３ｂの開口面積に比較して大きく形成されている。これにより、左側送風ファン７及び右側送風ファン８の回転数を上昇させ熱交換器９での通過風量を増加させても、吹出口４からは風速が大きい吹出風は吹出されず、低速で温度分布が均一な吹出風が室内に送出され使用者にドラフト感を感じさせないようになっている。
【００２７】
また、熱交換器９において、空気流と熱交換を行うフィン９ａが高密度に多数配列され、所謂高密度型熱交換器となっていることにより、通過する空気流が低速であっても熱交換能力を維持できるとともに、高密度に多数配列されたフィン９ａにより気流の整流化が行われ、吹出口４から、より均一な流れの気流を吹出すことができるようになっている
【００２８】
更に、熱交換器９が左側送風ファン７及び右側送風ファン８の下流側に配置されていることにより、熱交換器９の表面に結露した凝縮水が左側送風ファン７及び右側送風ファン８に飛散して、これらの表面に付着する虞がないので、付着した凝縮水による黴、雑菌等の発生を防止することができるようになっている。
【符号の説明】
【００２９】
１  本体
１ａ  昇圧室
１ｂ  中央空気流ガイド
１ｃ  凹部
２ａ  左側上部吸込口
２ｂ  左側下部吸込口
３ａ  右側上部吸込口
３ｂ  右側下部吸込口
４  吹出口
５  左側送風ファン収納部
５ａ  左側空気流ガイド
６  右側送風ファン収納部
６ａ  右側空気流ガイド
７  左側送風ファン
８  右側送風ファン
８ａ  上部シロッコファン
８ｂ  下部シロッコファン
９  熱交換器
９ａ  フィン
９ｂ  伝熱管
９ｃ  冷媒配管
１０  露受皿
１０ａ  排出管
１１  ファンモータ
１１ａ、１１ｂ  回転軸
１２ａ  上部支持金具
１２ｂ  下部支持金具
１３  電装品箱
１４  配管ユニット
【図１】
2012197986.tif 000003
【図２】
2012197986.tif 000004
【図３】
2012197986.tif 000005